【事件の表示】
　特願２００１−　１５８３０「弾球遊技機」拒絶査定不服審判事件〔平成１４年　７月３０日出願公開、特開２００２−２１０１００〕について、次のとおり審決する。
【結　論】
　本件審判の請求は、成り立たない。
【理　由】
１．手続の経緯
　本願は、平成１３年１月２４日に出願されたものであって、平成１５年１０月１日付けの拒絶理由通知に対し平成１５年１２月３日付けで手続補正がなされ、平成１５年１２月２６日付けで拒絶査定がなされ、これに対し、平成１６年２月４日に拒絶査定不服審判が請求され、平成１６年２月２５日付けで明細書に係る手続補正がなされたものであり、その後、当審において平成１９年５月２８日付けで、前記平成１６年２月２５日付けの手続補正について補正の却下の決定がされるとともに拒絶理由が通知され、これに対し、平成１９年７月２０日付けで手続補正がなされたものである。
　
２．本願発明
　本願の請求項１に係る発明（以下、「本願発明」という。）は、平成１９年７月２０日付けの手続補正によって補正された明細書の記載からみて、その特許請求の範囲の請求項１に記載された、以下のとおりのものである。
　
「開閉板を倒すと開放され開閉板を立てると閉鎖される大入賞口を有し前記大入賞口の閉鎖時には該大入賞口の前面を遊技球が通過可能なアタッカー式の役物を備え、予め設定されている作動条件が成立すると前記大入賞口を開放する弾球遊技機において、
　遊技領域を上下方向について３等分して上から順に上位部、中位部、下位部とした際の前記上位部に前記役物を配置し、
　前記役物の直下に配置された作動口に遊技球が進入することが前記作動条件の成立に必須とし、
　前記大入賞口の開口幅の範囲では前記役物の上方には遊技釘は植設されておらず、
　前記大入賞口の両端と前記作動口の両端とをそれぞれ結ぶ直線と前記大入賞口及び前記作動口により画成される領域には遊技球の進路をランダムにする分散遊技釘のみを配し、
　前記大入賞口の閉鎖時には遊技球を該閉鎖した大入賞口の前面を容易に通過させ、且つ前記大入賞口の前面を通過した遊技球の進路を前記分散遊技釘によりランダムにする
ことを特徴とする弾球遊技機。」
　
３．引用刊行物とそれに記載の発明
（１）引用例１とそれに記載の発明
i.　当審拒絶理由で引用した特開２０００−３２５５８０号公報（以下、「引用例１」という。）には、図面とともに以下の事項が記載されている。
　
「【００３０】……図２に示すように、遊技盤３には、多数の釘が植設されているとともに、図柄作動口１２、可変表示装置１３、大入賞口１１を備えた可変入賞装置２１、内レール１４、外レール１５、及び戻り球防止装置１６等が設けられている。……」
　
「【００３４】図３（ａ），（ｂ）に示すように、可変表示装置１３の表示部１３ａでは、各図柄列１４〜１６の図柄変動（回転変動）が、遊技球Ｂの図柄作動口１２への入賞に基づいて開始させられる。また、大当たり図柄、外れリーチ図柄、外れ図柄の中から１つが選択され、これが停止図柄として設定される。……」
　
「【００３５】大当たり図柄は、リーチ状態を経た後、遊技者に有利な特別遊技状態としての大当たり状態を発生させるための図柄である。……大当たりの組合せが成立すると、特別電動役物が作動し（大入賞口１１が開かれ）、遊技者にとって有利な大当たり状態が発生させられる。すなわち、より多くの景品球を獲得することが可能となる。」
　
「【００４０】……また、大入賞口１１の前には、シャッタ２２が設けられている。このシャッタ２２は、大入賞口１１の側部に設けられた駆動手段としての大入賞口用ソレノイド１０により作動させられ、大入賞口１１を開閉する。」
　
「【００４９】続くステップＳ１０５において、制御装置５０は、大入賞口１１を開放させる。すなわち、それまで非励磁状態（オフ状態）にあった大入賞口用ソレノイド１０を一旦励磁状態（オン状態）にする。すると、それまで垂直状態にあったシャッタ２２が傾動し、大入賞口１１が開かれる。この開放により、遊技球Ｂの大入賞口１１ひいては入賞通路又はＶゾーンへの入賞が可能となる。……」
　
「【００５２】これに対し、ステップＳ１０６又はステップＳ１０７のいずれか一方が満たされていないと、ステップＳ１０８において、制御装置５０は、大入賞口１１を閉鎖させる。すなわち、大入賞口用ソレノイド１０を非励磁状態（オフ状態）にする。これにより、シャッタ２２は垂直状態に維持される。すなわち、大入賞口１１の閉鎖状態が維持されることとなる。そして、この閉鎖により、遊技球Ｂの大入賞口１１への入賞が不可能となる。」
　
「【００５８】上記第１の実施の形態では、可変入賞装置２１（大入賞口１１）を、遊技盤３の上部右側におけるゴム部材Ｒの近傍に配設することとした。これに対し、本実施の形態では、図６に示すように、可変入賞装置３１（大入賞口１１）を、遊技盤３の上部ほぼ中央に配設したという点に特徴を有している。」
　
「【００５９】上記第１の実施の形態と同様、可変入賞装置３１の直上方には、衝撃力緩和手段を構成する釘Ｇが植設されているとともに、両側部上方には、遊技盤３中央上部に対して放たれた遊技球Ｂのほとんどが可変入賞装置３１の方へ案内されるよう釘群が「逆ハ」の字状に植設されている。」
　
ii. 前記摘示の記載及び図面によれば、引用例１には、以下の発明（以下、「引用発明１」という。）が記載されているものと認められる。
　
「シャッタ２２を傾動させると開かれ、シャッタ２２を垂直状態にすると閉鎖される大入賞口１１を備えた可変入賞装置３１が設けられ、大当りの組合せが成立すると大入賞口１１が開かれるパチンコ機において、
　遊技盤３の上部ほぼ中央に可変入賞装置３１を配設し、
　図柄作動口１２に遊技球Ｂが入賞することが前記大当りの組合せの成立に必須とし、
　可変入賞装置３１の直上方には、衝撃力緩和手段を構成する釘Ｇが植設された
パチンコ機。」
　
（２）引用例２とそれに記載の発明
i.　当審拒絶理由で引用した特開平２−２７１８８７号公報（以下、「引用例２」という。）には、図面とともに以下の事項が記載されている。
　
「変動入賞装置５の直下位置には第２の始動入賞装置８が、……設置されている。」（第２頁左下欄第７行乃至第１０行）
　
「遊技領域２の適宜位置にはそれぞれ障害釘７が植設（第２図に詳しく示す）され、……」（第２頁右下欄第６行乃至第７行）
　
「なお、始動入賞装置６，６上の障害釘７（第２図）を調整することによっても始動入賞装置６，６中への入賞確率を変えることができる。」（第５頁左下欄第２０行乃至右下欄第３行）
　
「変動入賞装置５は、第１５図および第１６図に示すように、遊技盤１の盤面の開口部に取り付けられる構成基枠５１０Ａと、該構成基枠５１０Ａの裏側に設置される後基枠５３０と、さらにその裏側に設置される駆動基板５４０とを備えている。
　そして、前記構成基枠５１０Ａには比較的大きな矩形の入賞口５１１が設けられ、該入賞口５１１には、開閉扉５１３が設置され、……」（第１１頁左上欄第２０行乃至右上欄第６行）
　
　また、第２図の記載から、変動入賞装置５における入賞口５１１の両端と始動入賞装置８における始動入賞口の両端とをそれぞれ結ぶ直線と前記入賞口５１１及び前記始動入賞口により画成される領域には障害釘７のみを配したことが、認められる。
　
ii. 前記摘示の記載及び図面並びに前記認定事項によれば、引用例２には、以下の発明（以下、「引用発明２」という。）が記載されているものと認められる。
　
「入賞口５１１を有する変動入賞装置５の直下位置に始動入賞装置８が設置され、
　前記入賞口５１１の両端と始動入賞装置８における始動入賞口の両端とをそれぞれ結ぶ直線と前記入賞口５１１及び前記始動入賞口により画成される領域には障害釘７のみを配した
パチンコ遊技機。」
　
４．対比判断
（１）本願発明と引用発明１との対比
　本願発明と引用発明１とを対比すると、引用発明１の「シャッタ２２」は本願発明の「開閉板」に、以下同様に、「可変入賞装置３１」は「アタッカー式の役物」に、「パチンコ機」は「弾球遊技機」に、「大当りの組合せ」は「予め設定されている作動条件」に、「図柄作動口１２」は「作動口」に、それぞれ相当する。
　
　また、引用発明１において、大入賞口１１の閉鎖により、遊技球Ｂの大入賞口１１への入賞が不可能になった時に、遊技球Ｂが大入賞口の前面を遊技球が容易に通過可能であることは、自明である。
　
　そうすると、本願発明と引用発明１の両者は、以下の点でそれぞれ、一致並びに相違するものと認められる。
　
　一致点
「開閉板を倒すと開放され開閉板を立てると閉鎖される大入賞口を有し前記大入賞口の閉鎖時には該大入賞口の前面を遊技球が通過可能なアタッカー式の役物を備え、予め設定されている作動条件が成立すると前記大入賞口を開放する弾球遊技機において、
　遊技領域を上下方向について３等分して上から順に上位部、中位部、下位部とした際の前記上位部に前記役物を配置し、
　作動口に遊技球が進入することが前記作動条件の成立に必須とし、
　前記大入賞口の閉鎖時には遊技球を該閉鎖した大入賞口の前面を容易に通過させる
弾球遊技機。」である点。
　
　相違点１
　本願発明では、作動口が役物の直下に配置され、また、大入賞口の両端と作動口の両端とをそれぞれ結ぶ直線と大入賞口及び作動口により画成される領域には遊技球の進路をランダムにする分散遊技釘のみを配し、大入賞口の閉鎖時には、大入賞口の前面を通過した遊技球の進路を分散遊技釘によりランダムにするのに対し、引用発明１はそのように構成されていない点。
　
　相違点２
　本願発明では、大入賞口の開口幅の範囲では役物の上方には遊技釘は植設されていないのに対し、引用発明１では、大入賞口１１の開口幅の範囲で可変入賞装置３１の直上方には、衝撃力緩和手段を構成する釘Ｇが植設されている点。
　
（２）判断
i.　相違点１について
　本願発明と引用発明２とを対比すると、引用発明２の「入賞口５１１」は本願発明の「大入賞口」に、以下同様に、「変動入賞装置５」は「アタッカー式の役物」に、「始動入賞口」は「作動口」に、それぞれ相当する。
　
　また、引用発明２において、「障害釘７」は、遊技球の進路を右や左に屈曲させる機能を有することは自明であり、特に入賞口５１１の閉鎖時に変動入賞装置５の前面を通過した遊技球の進路は、障害釘７により複雑化されると認められるから、引用発明２の「障害釘７」は、本願発明の「分散遊技釘」に相当する。
　
　すなわち、引用発明２は、作動口が役物の直下に配置され、また、大入賞口の両端と作動口の両端とをそれぞれ結ぶ直線と大入賞口及び作動口により画成される領域には遊技球の進路をランダムにする分散遊技釘のみを配し、大入賞口の閉鎖時には、大入賞口の前面を通過した遊技球の進路を前記分散遊技釘によりランダムにするものであるから、その構成を引用発明１に組み合わせることは、当業者が容易に想到できるものである。
　
ii. 相違点２について
　引用発明１において、可変入賞装置３１の直上方に植設された釘Ｇは、一般的な遊技釘の有する「遊技球の進路を変更する」という作用効果を意図するものではなく、衝撃力緩和手段を構成するものであるから、大入賞口に遊技球を入賞させるという作用効果のみを考慮するならば、取り去っても差し支えないものである。また、遊技釘をどのように配置するかは、当業者が適宜選択しうる設計上の事項である（例えば特開平７−６８０１５号公報［段落０００６参照］）。
　
　したがって、引用発明１において、可変入賞装置３１の上方に遊技釘を植設されていないように構成することは、当業者が容易に想到できるものである。
　
iii.　作用効果について
　本願発明の作用効果は、引用発明１、及び引用発明２に基づいて、当業者が容易に予測できるものである。
　
５．むすび
　以上のとおり、本願の請求項１に係る発明は、引用例１、及び引用例２に記載された発明に基づいて、当業者が容易に発明をすることができたものであるから、特許法第２９条第２項の規定により特許を受けることができない。
　
　よって、結論のとおり、審決する。